(57)【要約】【課題】ロックアームを押圧したまま相手側コネクタと嵌合してしまうことを防止できるコネクタを提供する。【解決手段】ロックアーム１５の操作部１５Ｂは保護壁１９によって覆われているから、雌コネクタ１０を把持した際に操作部１５Ｂを押圧操作してしまうことを防止できる。また、ロックアーム１５は、雄コネクタ２０と嵌合する前の状態においては、ロックを解除するためのロック解除部１７Ｂの移動経路Ｘから、操作部１５Ｂが退避した状態で保持される。これにより、誤ってロック解除部１７Ｂが押圧操作されても、ロック解除部１７Ｂは操作部１５Ｂに接触することなく移動するから、操作部１５Ｂは押圧操作されず、もってロックアーム１５が押圧されたまま雄コネクタ２０と嵌合してしまうことを防止できる。【選択図】図６
2008004381.tif 000002
【特許請求の範囲】
【請求項１】
コネクタハウジングには、相手側コネクタに係止して正規嵌合状態にロックするロックアームが設けられ、
このロックアームは、前記コネクタハウジングの側面からこの側面に沿う方向へ片持ち状をなして延出するとともにその延出端部には前記ロックアームを前記側面に接近する方向に押圧操作するための操作部が形成され、
前記ロックアームは、前記相手側コネクタと嵌合する際には、前記相手側コネクタに係合して前記側面に接近する方向に弾性撓みするとともに前記相手側コネクタと正規嵌合状態に至ると弾性復帰して同相手側コネクタに係止し、また、前記相手側コネクタから離脱する際には、前記操作部を押圧操作されることにより前記側面に接近する方向へ弾性撓みしてロック解除が行われるコネクタであって、
前記操作部の外側を覆う保護壁と、この保護壁よりも前記ロックアームの延出方向にずれた位置に配されるとともに常には同ロックアームの外側に位置し、押圧操作されることにより前記側面に接近する方向へ変位するロック解除部と、が備えられ、
前記ロックアームは、前記相手側コネクタと嵌合する前の状態においては、前記ロック解除部が変位する際にこのロック解除部が移動する移動経路から前記操作部が退避した状態で保持されるとともに、前記相手側コネクタに係止した状態では、前記操作部が前記移動経路に進入した状態で保持されることを特徴とするコネクタ。
【請求項２】
前記ロックアームの外側には、同ロックアームの延出方向に沿う方向に片持ち状をなして延出するロック解除片が設けられ、
このロック解除片は、前記保護壁を前記ロックアームの延出方向に越えた位置まで延出しており、前記ロック解除部が同ロック解除片の延出端部に形成されていることを特徴とする請求項１に記載のコネクタ。
【発明の詳細な説明】
【技術分野】
【０００１】
本発明は、コネクタに関する。
【背景技術】
【０００２】
従来、相手側コネクタを正規嵌合状態にロックするためのロックアームを備えたコネクタの一例として、特許文献１に記載のものが知られている。このコネクタに備えられたロックアームは、コネクタハウジングの上面から後方に向けて片持ち状に延出する形態をなしており、上面に接近する方向（下方）に弾性撓み可能となっている。このロックアームは、相手側コネクタと嵌合する際には相手側コネクタと当接して下方に弾性撓みし、両コネクタが正規嵌合状態に至ると同時に弾性復帰して相手側コネクタに係止することにより、相手側コネクタをロックする。そして、ロックアームは、弾性復帰する際の勢いによって相手側コネクタに衝突し、その衝突音によって、作業者は両コネクタが正規状態でロックされたことを知ることができる。
【０００３】
また、ロックアームの延出端部には操作部が設けられており、相手側コネクタからコネクタを離脱する際には、この操作部を押圧操作することによってロックアームを下方へ弾性撓みさせ、ロック状態を解除することができる。
【特許文献１】特開２００２−１２４３５５公報
【発明の開示】
【発明が解決しようとする課題】
【０００４】
しかしながら、上記のような構造では、コネクタを相手側コネクタと嵌合する際に、ロックアームの操作部を押さえるようにしてコネクタを把持してしまい、ロックアームを押圧したまま両コネクタを嵌合してしまう可能性がある。すると、両コネクタが正規嵌合状態に至ってもロックアームが弾性復帰せず、その際生じるはずの衝突音が鳴らなかったり、もしくはロックアームの復元変形の勢いが弱くて小さな衝突音しか鳴らないおそれがある。この衝突音は、両コネクタが正規嵌合されたか否かを知る上で重要な要素となるものであり、明確な衝突音を得られないと、両コネクタが半嵌合状態で留め置かれるおそれが生じるため問題である。
【０００５】
本発明は上記のような事情に基づいて完成されたものであって、ロックアームを押圧したまま相手側コネクタと嵌合してしまうことを防止できるコネクタを提供することを目的とする。
【課題を解決するための手段】
【０００６】
上記の目的を達成するための手段として、請求項１の発明は、コネクタハウジングには、相手側コネクタに係止して正規嵌合状態にロックするロックアームが設けられ、このロックアームは、前記コネクタハウジングの側面からこの側面に沿う方向へ片持ち状をなして延出するとともにその延出端部には前記ロックアームを前記側面に接近する方向に押圧操作するための操作部が形成され、前記ロックアームは、前記相手側コネクタと嵌合する際には、前記相手側コネクタに係合して前記側面に接近する方向に弾性撓みするとともに前記相手側コネクタと正規嵌合状態に至ると弾性復帰して同相手側コネクタに係止し、また、前記相手側コネクタから離脱する際には、前記操作部を押圧操作されることにより前記側面に接近する方向へ弾性撓みしてロック解除が行われるコネクタであって、前記操作部の外側を覆う保護壁と、この保護壁よりも前記ロックアームの延出方向にずれた位置に配されるとともに常には同ロックアームの外側に位置し、押圧操作されることにより前記側面に接近する方向へ変位するロック解除部と、が備えられ、前記ロックアームは、前記相手側コネクタと嵌合する前の状態においては、前記ロック解除部が変位する際にこのロック解除部が移動する移動経路から前記操作部が退避した状態で保持されるとともに、前記相手側コネクタに係止した状態では、前記操作部が前記移動経路に進入した状態で保持されるところに特徴を有する。
【０００７】
請求項２の発明は、請求項１に記載のものにおいて、前記ロックアームの外側には、同ロックアームの延出方向に沿う方向に片持ち状をなして延出するロック解除片が設けられ、このロック解除片は、前記保護壁を前記ロックアームの延出方向に越えた位置まで延出しており、前記ロック解除部が同ロック解除片の延出端部に形成されているところに特徴を有する。
【発明の効果】
【０００８】
＜請求項１の発明＞
ロックアームの操作部は保護壁によって覆われているから、コネクタを把持した際に操作部を押圧操作してしまうことを防止できる。また、ロックアームは、相手側コネクタに係止した状態では、操作部がロック解除部の移動経路に進入した状態で保持されるから、相手側コネクタから離脱する際には、ロック解除部を押圧操作するとこのロック解除部が操作部を押圧操作しつつ移動し、ロックの解除がなされる。
【０００９】
そして、ロックアームは、相手側コネクタと嵌合する前の状態においては、ロックを解除するためのロック解除部の移動経路から、操作部が退避した状態で保持される。これにより、相手側コネクタと嵌合する前に誤ってロック解除部が押圧操作されたとしても、ロック解除部は操作部に接触することなく移動するから、操作部が押圧操作されることはない。
【００１０】
したがって、本発明の構成によれば、相手側コネクタから離脱する際のロック解除機能が備えられた上で、ロックアームが押圧されたまま相手側コネクタと嵌合してしまうことを防止できる。
【００１１】
＜請求項２の発明＞
ロック解除部は、片持ち状をなして延出するロック解除片の延出端部に形成されている。そして、相手側コネクタと嵌合する前の状態においてロック解除部を押圧操作した場合には、ロック解除片が下方へ撓んだ際にロック解除部が操作部に接触しないから、操作部が押圧操作されることはない。また、相手側コネクタに係止した状態においてロック解除部を押圧操作すると、ロック解除片が下方へ撓む際にロック解除部が操作部を押圧操作するから、ロックの解除がなされる。
【発明を実施するための最良の形態】
【００１２】
以下、本発明の実施形態を図１〜図７によって説明する。
本実施形態のコネクタは雌型のコネクタ１０であって、自動車のパネルＰに取り付けられる待受け側の雄コネクタ２０（本発明における相手側コネクタに該当する）と嵌合可能なものである。以下、各構成部材において、両コネクタ１０，２０における嵌合面側を前方とし、また、図１の上側を上方、下側を下方として説明する。
【００１３】
待ち受け側の雄コネクタ２０は合成樹脂材によって形成され、図１および図２に示すように、ブロック状をなすハウジング本体部２１と、このハウジング本体部２１の前側において前方に開口するフード部２２とからなるコネクタハウジング２３を備えている。
【００１４】
ハウジング本体部２１内には複数のキャビティ２４が設けられ、各キャビティ２４には先端部をそれぞれフード部２２内に突出した状態で雄端子金具（図示せず）が収容される。
【００１５】
フード部２２は、パネルＰの取付孔に概ね緊密に嵌め込み可能な外形をなしており、その上端及び下端に設けた係止爪２５と弾性係止爪２６との間に取付孔の孔縁部を係止させることで、雄コネクタ２０がパネルＰに取り付けられる。フード部２２内における上部には、平板状をなして前方へ突出するロック壁２７が設けられ、このロック壁２７には、ロック壁２７を壁厚方向（上下方向）に貫通するロック孔２８が形成されている。
【００１６】
一方、雌コネクタ１０は合成樹脂材によって形成され、ブロック状をなすハウジング本体部１１と、このハウジング本体部１１の外周に張り出すフランジ部１２とからなるコネクタハウジング１３を備えている。
【００１７】
ハウジング本体部１１内には、雌端子金具（図示せず）を収容可能な複数のキャビティ１４が設けられている。各キャビティ１４は前後に開口しており、ハウジング本体部１１を雄コネクタ２０のフード部２２へ内嵌することにより、雄端子金具の先端部がキャビティ１４の前側の開口から差し込まれて雌端子金具と接続されるようになっている。ハウジング本体部１１の後端部には、角筒状をなす電線導出部１１Ａが後方に突出して形成され、この電線導出部１１Ａからは、雌端子金具に接続された電線が導出される。
【００１８】
そして、ハウジング本体部１１の上面（コネクタハウジング１３の側面）には、雄コネクタ２０に係止して正規嵌合状態にロックするロックアーム１５が設けられている。ロックアーム１５は、ハウジング本体部１１における幅方向ほぼ中央位置に配され、図６に示すように、ハウジング本体部１１の上面における前端位置を基端とし、後方（ハウジング本体部１１の上面に沿う方向）へ片持ち状をなして延出している。このロックアーム１５は、弾性撓みしない自然状態においては、ハウジング本体部１１の上面に対して略平行をなし、その延出端はハウジング本体部１１における後端寄り位置に至っている。
【００１９】
そして、ロックアーム１５は、上下方向に撓み変形可能とされるとともに、その上面には雄コネクタ２０のロック孔２８に係止可能なロック突起１５Ａが突設されている。ロック突起１５Ａは、ロックアーム１５の延出方向ほぼ中央位置よりも若干基端側の位置に設けられている。そして、雌コネクタ１０が雄コネクタ２０に嵌合する際には、ロック突起１５Ａがロック壁２７に当接して下方に押されることにより、ロックアーム１５が下方に弾性撓みし、両コネクタ１０，２０が正規の嵌合状態に至ると同時にロックアーム１５が弾性復帰してロック突起１５Ａがロック孔２８に係止する。その際、ロックアーム１５は勢い良くロック壁２７に衝突し、両コネクタ１０，２０が正規嵌合したことを作業者に知らせる衝突音が生じる。また、ロックアーム１５は、完全に自然状態に戻る前にロック壁２７に衝突するようになっており、図１に示すように、若干下方に弾性撓みした状態でロック壁２７に係止する。また、ロックアーム１５は、ロック突起１５Ａがロック壁２７を乗り越える際に十分弾性撓みするため、ロックアーム１５が完全に自然状態に戻る途中の段階でロック壁２７に衝突しても明確な衝突音が得られる。
【００２０】
そして、ロックアーム１５の延出端部には操作部１５Ｂが設けられている。操作部１５Ｂは、図５に示すように、他の部分よりも若干幅広の略長方形をなす平板状をなし、その上面を指等で押圧操作できるようになっている。
【００２１】
この操作部１５Ｂを押圧操作すると、図７に示すように、ロックアーム１５は基端位置（ハウジング本体部１１の前端位置）を基点として傾動し、下方（ハウジング本体部１１に接近する方向）へ弾性撓みする。すると、ロック突起１５Ａがロック孔２８から下方へ外れて雄コネクタ２０とのロックが解除される。このとき、ロックアーム１５の自由端側に設けられた操作部１５Ｂは、弧を描くようにして下側前方へ向かって斜め方向に移動する（図１参照）。
【００２２】
また、フランジ部１２は、ハウジング本体部１１の外周面における前後方向ほぼ中央位置よりも若干後側位置において、全周にわたって外側に張り出し形成されている。フランジ部１２おけるハウジング本体部１１の上側部分、すなわちロックアーム１５に対応する部分には、このフランジ部１２を壁厚方向（前後方向）に貫通する開口部１６が設けられている。開口部１６は、図３に示すように、ハウジング本体部１１の幅寸法よりも幅狭で、若干上下方向に長い略長方形状をなしている。ロックアーム１５はこの開口部１６を前方から後方に通過して延出し、その基端部と操作部１５Ｂとが、フランジ部１２を挟んで前側と後側とにそれぞれ配される。なお、フランジ部１２の外周には、図示しないグロメットが取り付けられる。
【００２３】
ロックアーム１５の上側には、図６に示すように、押圧操作されることにより下方（ハウジング本体部１１の上面に接近する方向）へ弾性撓み可能なロック解除片１７が設けられている。ロック解除片１７は、フランジ部１２の後面から後方に向かって片持ち状をなして延出しており、すなわち、ロック解除片１７は、ロックアーム１５の基端位置よりも後側（延出端側）に寄った位置を基端位置として後方に向かって延出し、その延出寸法はロックアーム１５の延出寸法よりも小さくされている。
【００２４】
ロック解除片１７は、フランジ部１２の開口部１６における上端部に設けられている。そして、ロック解除片１７は、図５に示すように、開口部１６の周縁部における両側部から後方へ延出する一対の脚部１７Ａと、両脚部１７Ａの延出端同士を連結する連結部（本発明におけるロック解除部に該当し、以後ロック解除部１７Ｂと称する）とを備え、全体として門型をなして張り出している。
【００２５】
このロック解除片１７は、常には（ロック解除片１７およびロックアーム１５がともに弾性変形せず自然状態にある場合には）、図６に示すように、その下面位置が操作部１５Ｂの上面位置からほんのわずか上方となる位置に配され、すなわち操作部１５Ｂに対してかなり接近した位置に配されている。そして、ロック解除部１７Ｂは、常には操作部１５Ｂよりも後方にずれた位置であってロック解除部１７Ｂの前端縁と操作部１５Ｂの後端縁（ロックアーム１５の後端縁）とがほとんど接触しそうなほどに接近した位置に配されている。また、ロック解除片１７の両脚部１７Ａは、図５に示すように、ロックアーム１５の側方にそれぞれ配され、両脚部１７Ａと操作部１５Ｂとの間には、わずかな隙間が空いており、両脚部１７Ａとロック解除部１７Ｂとによって囲まれた部分は、操作部１５Ｂが上下方向に通過可能な通過口１８となっている。言い換えると、常には、ロックアーム１５の操作部１５Ｂは、その全体が通過口１８を通して上方に開放された状態となり、ロック解除片１７を押し下げると、ロック解除片１７の両脚部１７Ａが操作部１５Ｂの側方を、ロック解除部１７Ｂが操作部１５Ｂの後方を、それぞれロックアーム１５に接触することなく下方へ通り過ぎる。
【００２６】
このとき、ロック解除片１７は、フランジ部１２の後面を基点として下方（ハウジング本体部１１に接近する方向）へ傾動する。そして、ロック解除片１７の自由端側に設けられたロック解除部１７Ｂは、弧を描くようにして下側前方へ向かって斜め方向に移動し、その移動経路Ｘは操作部１５Ｂの移動経路Ｙよりも内側（前側）を通過するようになっている（図１参照）。なお、ロック解除片１７は、ロックアーム１５とは別に設けられた部材であるから、ロック解除片１７とロックアーム１５との撓み具合等を別々に調整することができる。
【００２７】
そして、ロック解除片１７およびロックアーム１５の周囲には、図３に示すように、保護壁１９が設けられている。保護壁１９は、ロック解除片１７およびロックアーム１５の側方および上方を囲うようにしてフランジ部１２の後面から後方に向かって張り出す形態をなしている。この保護壁１９は、ロック解除片１７およびロックアーム１５の側方を覆う一対の側壁部１９Ａと、上方を覆う上壁部１９Ｂとから構成されている。
【００２８】
一対の側壁部１９Ａは、ハウジング本体部１１の上面の幅方向両側においてほぼ垂直に立設されている。両側壁部１９Ａは、その上端部がロック解除片１７を上方に越える位置まで立ち上がるとともに、後端位置がハウジング本体部１１の後端位置（電線導出部１１Ａの後端位置）と一致している。そして、両側壁部１９Ａは、操作部１５Ｂおよびロック解除片１７（ロック解除部１７Ｂを含む）の側方を覆っている。このため、操作部１５Ｂおよびロック解除部１７Ｂは、その動作範囲内で常に両側壁部１９Ａ間に挟まれた領域から外側に出ないようになっている。なお、両側壁部１９Ａの両外側面は、ハウジング本体部１１の外側面と面一をなして形成されている。
【００２９】
上壁部１９Ｂは、ロック解除片１７の上方において一対の側壁部１９Ａの上端部同士を連設する形態をなし、その下面位置とロック解除片１７の上面位置との間には若干の隙間が空いている。そして、上壁部１９Ｂの後端部は、図４に示すように、幅方向ほぼ中央部分が前方に向かって切り欠かれた形態をなしている。この切欠部１９Ｃは、ロック解除部１７Ｂと重なる部分を切り欠いた略長方形状をなし、その幅寸法はフランジ部１２の開口部１６の幅寸法とほぼ同じ寸法とされ、また前後方向の幅寸法はロック解除部１７Ｂの前後方向の幅寸法とほぼ同じ寸法とされている。そして、上壁部１９Ｂは、通過口１８を塞ぐようにして両側壁部１９Ａの上端部に架け渡され、ロック解除部１７Ｂを除く部分を上側から覆っている。すなわち、通過口１８を通して上側に臨む操作部１５Ｂと、ロック解除片１７の両脚部１７Ａとは、保護壁１９によって上方および側方を覆われ、コネクタを把持した際に指等が操作部１５Ｂに触れないようになっている。一方ロック解除部１７Ｂは、上壁部１９Ｂに覆われないで上面が露出しており、指等により押圧操作可能となっている。
【００３０】
さて、ロックアーム１５は、雄コネクタ２０と嵌合する前の状態においては、ロック解除部１７Ｂの移動経路Ｘから操作部１５Ｂが退避した状態で保持されるとともに、雄コネクタ２０をロックした状態では、操作部１５Ｂが移動経路Ｘに進入した状態で保持される。
【００３１】
ロックアーム１５およびロック解除片１７は、雌コネクタ１０が雄コネクタ２０と嵌合する前の状態においては、図６に示すように、弾性撓みしない自然状態となっている。このとき、前述したように操作部１５Ｂとロック解除部１７Ｂとは前後方向にずれた位置に配され、すなわち操作部１５Ｂ全体がロック解除部１７Ｂの移動経路Ｘから前方に外れた位置にあり、ロック解除部１７Ｂを押圧操作しても、ロック解除部１７Ｂが操作部１５Ｂに接触することはなく、ロック解除片１７が単独で下方へ撓むだけとなる。
【００３２】
一方雌コネクタ１０が雄コネクタ２０と嵌合した状態、つまりロックアーム１５がロック孔２８に係止した状態では、図１に示すように、ロックアーム１５は完全に自然状態に戻らないで、若干下方に弾性撓みした状態で保持される。このとき、ロックアーム１５の操作部１５Ｂの位置は、ロックアーム１５が自然状態にある場合に比べて若干後方にずれた状態となる。すなわち、自然状態においてロック解除部１７Ｂの前側にかなり接近した位置にあった操作部１５Ｂが、後方にずれることにより、操作部１５Ｂはロック解除部１７Ｂの移動経路Ｘに進入した状態となる。
【００３３】
次に、上記のように構成された本実施形態の作用および効果について説明する。
パネルＰの取付孔に待ち受け状態で取り付けられた雄コネクタ２０に対し、雌コネクタ１０を嵌合させる。まず、雌コネクタ１０を指で把持し、ハウジング本体部１１を雄コネクタ２０のフード部２２に対して位置合わせしつつ徐々に雌コネクタ１０を押し込んでいく。このとき、ロックアーム１５の操作部１５Ｂは保護壁１９によって外側を覆われているから、雌コネクタ１０を把持する指が、誤って操作部１５Ｂを押圧操作してしまうことはない。また、上面が露出しているロック解除部１７Ｂを誤って押圧操作してしまった場合にも、ロック解除部１７Ｂが操作部１５Ｂに接触することなく、ロック解除片１７が単独で下方へ弾性撓みするだけであり、操作部１５Ｂが押圧操作されることはない。したがって、雌コネクタ１０を雄コネクタ２０に嵌合する前の状態で、誤って操作部１５Ｂが押圧操作されることはなく、雌コネクタ１０は、ロックアーム１５が押圧されたまま雄コネクタ２０と嵌合することはない。
【００３４】
そして、雌コネクタ１０のハウジング本体部１１を雄コネクタ２０のフード部２２内へと嵌入させるようにすると、自然状態にあるロックアーム１５のロック突起１５Ａがロック壁２７に当接し、ロック突起１５Ａがロック壁２７に乗り上げるのに伴ってロックアーム１５が下方へ弾性撓みする。そして、両コネクタ１０，２０が正規嵌合状態に至ると同時にロック突起１５Ａがロック壁２７を乗り越えてロックアーム１５が弾性復帰し、ロック突起１５Ａがロック孔２８内に入り込んで係止することにより両コネクタ１０，２０が離間不能にロックされる。このとき、ロックアーム１５は勢い良く弾性復帰してロック壁２７に衝突するから明確な衝突音が生じ、作業者は両コネクタ１０，２０が正規嵌合状態に至ったことを確実に知ることができる。そして、ロックアーム１５は、若干下方に弾性撓みして操作部１５Ｂがロック解除部１７Ｂの移動経路Ｘに進入した状態で保持される。
【００３５】
次に、正規嵌合状態でロックされている両コネクタ１０，２０を離脱させる場合には、ロック解除部１７Ｂを下方へ押し下げるようにする。すると、ロック解除部１７Ｂは、図７に示すように、その移動経路Ｘに進入しているロックアーム１５の操作部１５Ｂに上方から当接してこの操作部１５Ｂを下方に押圧しながら斜め下方に移動する。このとき、ロック解除部１７Ｂの移動経路Ｘは、操作部１５Ｂの移動経路Ｙよりも内側を移動するから、移動の途中でロック解除部１７Ｂが操作部１５Ｂから外側へ逸れてしまうことはなく、確実に操作部１５Ｂを押圧操作することができる。こうして、ロック解除部１７Ｂによって操作部１５Ｂが押圧操作されてロックアーム１５が下方へ傾動し、ロック突起１５Ａがロック孔２８から外れてロックの解除がなされる。
【００３６】
そして、ロックを解除したまま雌コネクタ１０を挟持してハウジング本体部１１をフード部２２から後方に引き出し、雌コネクタ１０と雄コネクタ２０とを離間する。このように、本実施形態のコネクタは、ロック解除部１７Ｂを操作してロックを解除することにより容易に両コネクタ１０，２０を離脱させることができ、さらに嵌合前の状態においては誤ってロックアーム１５が押圧されたままになることを防いで明確な衝突音を得られるようにし、もって両コネクタ１０，２０が半嵌合で留め置かれる事態が生じることを防いでいる。
【００３７】
以上説明したように本実施形態によれば、ロックアーム１５の操作部１５Ｂは保護壁１９によって覆われているから、雌コネクタ１０を把持した際に操作部１５Ｂを押圧操作しまうことを防止できる。また、ロックアーム１５は、雄コネクタ２０と嵌合する前の状態においては、ロックを解除するためのロック解除部１７Ｂの移動経路Ｘから、操作部１５Ｂが退避した状態で保持される。これにより、雄コネクタ２０と嵌合する前にロック解除部１７Ｂが押圧操作されたとしても、ロック解除部１７Ｂは操作部１５Ｂに接触することなく移動するから、操作部１５Ｂが押圧操作されることはない。したがって、ロックアーム１５が押圧されたまま雄コネクタ２０と嵌合してしまうことを防止できる。
【００３８】
また、ロックアーム１５は、雄コネクタ２０に係止した状態では、操作部１５Ｂがロック解除部１７Ｂの移動領域に進入した状態で保持される。これにより、雄コネクタ２０から離脱する際には、ロック解除部１７Ｂを押圧操作すると、このロック解除部１７Ｂが操作部１５Ｂを押圧操作しつつ移動するからロックの解除がなされる。
【００３９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４０】
（１）上記実施形態においては、ロックアーム１５は、雄コネクタ２０と嵌合する前の状態では、ハウジング本体部１１の上面に対して略平行をなし、雄コネクタ２０に係止した状態では、若干下方に弾性撓みした状態で保持されるが、ロックアームは、雄コネクタと嵌合する前において操作部がロック解除部の移動経路から退避し、かつ、雄コネクタと嵌合した状態において操作部がロック解除部の移動経路に進入した状態になればどのような形態をなしていてもよく、例えば、雄コネクタと嵌合する前の状態では、延出端部に向かって徐々にハウジング本体部から離れる開き形状をなし、雄コネクタと嵌合した状態では、ハウジング本体部の上面に対して略平行をなすようにしてもよい。
【００４１】
（２）上記実施形態においては、ロック解除片１７は全体として門型をなして張り出しているが、これに限らず、例えば、ロック解除片は、フランジ部の後面から後方へ延出する脚部とこの脚部の延出端部からロックアームの操作部側へ屈曲するロック解除部とからなる略Ｌ字状をなして張り出していても良い。
【００４２】
（３）上記実施形態においては、片持ち状をなして張り出すロック解除片１７の延出端部がロック解除部１７Ｂとされているが、これに限らず、ロック解除部は、常にはロックアームの上方に位置し、押圧操作されることにより下方へ変位可能であればどのような形態であってもよく、例えば、保護壁の両側壁部から両持ち状をなして張り出し、上下方向に弾性撓み可能とされたものであってもよく、また弾性撓みしなくとも単に上下方向に移動可能なものであってもよい。
【図面の簡単な説明】
【００４３】
【図１】本実施形態における雌コネクタが雄コネクタと正規嵌合した状態を表す側断面図
【図２】雄コネクタの正面図
【図３】雌コネクタの背面図
【図４】雌コネクタの平面図
【図５】雌コネクタの平断面図
【図６】雌コネクタの側断面図
【図７】両コネクタのロックを解除する様子を表す側断面図
【符号の説明】
【００４４】
１０…雌コネクタ
１３…コネクタハウジング
１５…ロックアーム
１５Ｂ…操作部
１７…ロック解除片
１８Ｂ…ロック解除部
１９…保護壁
２０…雄コネクタ（相手側コネクタ）
Ｘ…移動経路
【図１】
2008004381.tif 000003
【図２】
2008004381.tif 000004
【図３】
2008004381.tif 000005
【図４】
2008004381.tif 000006
【図５】
2008004381.tif 000007
【図６】
2008004381.tif 000008
【図７】
2008004381.tif 000009